(57)【要約】【課題】画像オブジェクトの多様な配置制御をより単純な操作で指定可能とする技術を提供する。【解決手段】表示部に表示された編集領域上に操作者による入力部の操作に基づいてオブジェクトを配置する編集装置であって、前記編集領域上にオブジェクトを配置可能な領域範囲を設定する設定手段と、前記入力部の第１の動作の検出に基づいて前記配置するオブジェクトを選択する第１選択手段と、前記第１選択手段により前記オブジェクトが選択された状態において、前記入力部の第２の動作の検出に基づいて該オブジェクトの前記領域範囲内での配置制御の選択を行う第２選択手段と、前記第１の動作の終了時点での前記配置制御の選択状態に基づいて該オブジェクトの前記領域範囲における配置を決定する決定手段とを備える。【選択図】図８
2008078937.tif 000002
【特許請求の範囲】
【請求項１】
表示部に表示された編集領域上に操作者による入力部の操作に基づいてオブジェクトを配置する編集装置であって、
前記編集領域上にオブジェクトを配置可能な領域範囲を設定する設定手段と、
前記入力部の第１の動作の検出に基づいて前記配置するオブジェクトを選択する第１選択手段と、
前記第１選択手段により前記オブジェクトが選択された状態において、前記入力部の第２の動作の検出に基づいて該オブジェクトの前記領域範囲内での配置制御の選択を行う第２選択手段と、
前記第１の動作の終了時点での前記配置制御の選択状態に基づいて該オブジェクトの前記領域範囲における配置を決定する決定手段と、
を備えることを特徴とする編集装置。
【請求項２】
前記配置制御は、前記オブジェクトの回転制御であることを特徴とする請求項１に記載の編集装置。
【請求項３】
前記配置制御は、前記オブジェクトの前記領域範囲に対する配置形態制御であることを特徴とする請求項１に記載の編集装置。
【請求項４】
前記入力部はマウスであり、前記第１の動作はボタン押下であり、前記第２の動作は移動であることを特徴とする請求項１乃至請求項３の何れか一項に記載の編集装置。
【請求項５】
前記設定手段は、前記領域範囲を前記編集装置に予め読み込まれたテンプレートファイルに基づいて設定することを特徴とする請求項１乃至請求項４の何れか一項に記載の編集装置。
【請求項６】
前記回転制御による回転方向は、前記第２の動作に基づき決定されることを特徴とする請求項２に記載の編集装置。
【請求項７】
表示部に表示された編集領域上に操作者による入力部の操作に基づいてオブジェクトを配置する編集装置の制御方法であって、
前記編集領域上にオブジェクトを配置可能な領域範囲を設定する設定工程と、
前記入力部の第１の動作の検出に基づいて前記配置するオブジェクトを選択する第１選択工程と、
前記第１選択工程により前記オブジェクトが選択された状態において、前記入力部の第２の動作の検出に基づいて該オブジェクトの前記領域範囲内での配置制御の選択を行う第２選択工程と、
前記第１の動作の終了時点での前記配置制御の選択状態に基づいて該オブジェクトの前記領域範囲における配置を決定する決定工程と、
を備えることを特徴とする制御方法。
【請求項８】
表示部に表示された編集領域上に操作者による入力部の操作に基づいてオブジェクトを配置する編集装置の制御プログラムであって、
前記編集領域上にオブジェクトを配置可能な領域範囲を設定する設定工程を実行するためのプログラムコードと、
前記入力部の第１の動作の検出に基づいて前記配置するオブジェクトを選択する第１選択工程を実行するためのプログラムコードと、
前記第１選択工程により前記オブジェクトが選択された状態において、前記入力部の第２の動作の検出に基づいて該オブジェクトの前記領域範囲内での配置制御の選択を行う第２選択工程を実行するためのプログラムコードと、
前記第１の動作の終了時点での前記配置制御の選択状態に基づいて該オブジェクトの前記領域範囲における配置を決定する決定工程を実行するためのプログラムコードと、
を備えることを特徴とする制御プログラム。
【発明の詳細な説明】
【技術分野】
【０００１】
本発明は、画像の配置処理技術に関するものである。
【背景技術】
【０００２】
画像等の複数のオブジェクトを、一定の編集領域内に配置することが行われている。種々の配置処理が可能であるが、特定のオブジェクトに対して編集制限を設定することが考えられる。この編集制限が設定されたオブジェクトは、他のオブジェクトとの間で重複が生じる場合には、該他のオブジェクトよりも常に表側に表され、その重複部分について該他のオブジェクトは、常に編集制限が設定されたオブジェクトに隠れることとなる。従って、このような編集制限を設定可能な編集装置においては、オブジェクトの移動、張りつけ等が行われる度に、該オブジェクトが、他のオブジェクトと重なるか否かを常に監視する必要がある。
【０００３】
そこで、特許文献１には、対象の画像をドラッグ＆ドロップして配置する際に、先に配置されている画像との重なりがある場合、あるいは画像が用紙からはみ出る場合に警告・修正を行う構成が開示されている。この修正方法に画像の回転を行うことが含まれている。
【０００４】
その他、市販のアプリケーションにおいて、入力した画像リストの中から、対象の画像をドラッグ＆ドロップして配置した後に回転を行ってレイアウトを整える方法や、あらかじめ回転を行っておいた後に画像入力を行う方法が行われている。
【特許文献１】特開２００１−１２５８９５号公報
【発明の開示】
【発明が解決しようとする課題】
【０００５】
しかしながら、上述した特許文献１に開示されている技術においては、ドラッグ＆ドロップ終了時の位置により、自動的に回転を行うことができるが、回転方向（右回転、左回転）の指定は操作者が配置操作中に任意に設定できるものではなかった。従って、何らかの条件により、自動的に回転されたとしても、さらに操作者の意図に沿うように別ステップで手動操作により画像の回転を行わなければならない場合があった。
【０００６】
またさらに、はみ出し、重複がない場合は、依然として、後から別ステップで調整回転操作を行って操作者の意図に沿うように調整しなければならず、操作が面倒であった。
【０００７】
また、画像入力時に回転を掛けておく方法では、ページの様々レイアウト表現や、ページの縦横の状態において、１つの画像を縦、横状態を変えて配置する場合がある。この場合に同様に配置した後、別ステップで回転が必要であるので操作が面倒であった。
【０００８】
本発明は上記問題点に鑑みなされたものであり、画像オブジェクトの多様な配置制御をより単純な操作で指定可能とする技術を提供することを目的とする。
【課題を解決するための手段】
【０００９】
上述した問題点を解決するために、本発明の編集装置は以下の構成を備える。すなわち、表示部に表示された編集領域上に操作者による入力部の操作に基づいてオブジェクトを配置する編集装置であって、前記編集領域上にオブジェクトを配置可能な領域範囲を設定する設定手段と、前記入力部の第１の動作の検出に基づいて前記配置するオブジェクトを選択する第１選択手段と、前記第１選択手段により前記オブジェクトが選択された状態において、前記入力部の第２の動作の検出に基づいて該オブジェクトの前記領域範囲内での配置制御の選択を行う第２選択手段と、前記第１の動作の終了時点での前記配置制御の選択状態に基づいて該オブジェクトの前記領域範囲における配置を決定する決定手段とを備える。
【００１０】
ここで、前記配置制御は、前記オブジェクトの回転制御であることを特徴とする。または、前記配置制御は、前記オブジェクトの前記領域範囲に対する配置形態制御であることを特徴とする。
【００１１】
そして、前記入力部はマウスであり、前記第１の動作はボタン押下であり、前記第２の動作は移動であることを特徴とする。
【００１２】
また、前記設定手段は、前記領域範囲を前記編集装置に予め読み込まれたテンプレートファイルに基づいて設定することを特徴とする。
【００１３】
そして、前記回転制御による回転方向は、前記第２の動作に基づき決定されることを特徴とする。
【００１４】
上述した問題点を解決するために、本発明の編集装置の制御方法は以下の構成を備える。すなわち、表示部に表示された編集領域上に操作者による入力部の操作に基づいてオブジェクトを配置する編集装置の制御方法であって、前記編集領域上にオブジェクトを配置可能な領域範囲を設定する設定工程と、前記入力部の第１の動作の検出に基づいて前記配置するオブジェクトを選択する第１選択工程と、前記第１選択工程により前記オブジェクトが選択された状態において、前記入力部の第２の動作の検出に基づいて該オブジェクトの前記領域範囲内での配置制御の選択を行う第２選択工程と、前記第１の動作の終了時点での前記配置制御の選択状態に基づいて該オブジェクトの前記領域範囲における配置を決定する決定工程とを備える。
【００１５】
上述した問題点を解決するために、本発明の編集装置の制御プログラムは以下の構成を備える。すなわち、表示部に表示された編集領域上に操作者による入力部の操作に基づいてオブジェクトを配置する編集装置の制御プログラムであって、前記編集領域上にオブジェクトを配置可能な領域範囲を設定する設定工程を実行するためのプログラムコードと、前記入力部の第１の動作の検出に基づいて前記配置するオブジェクトを選択する第１選択工程を実行するためのプログラムコードと、前記第１選択工程により前記オブジェクトが選択された状態において、前記入力部の第２の動作の検出に基づいて該オブジェクトの前記領域範囲内での配置制御の選択を行う第２選択工程を実行するためのプログラムコードと、前記第１の動作の終了時点での前記配置制御の選択状態に基づいて該オブジェクトの前記領域範囲における配置を決定する決定工程を実行するためのプログラムコードとを備える。
【発明の効果】
【００１６】
本発明によれば、画像オブジェクトの多様な配置制御をより単純な操作で指定可能とする技術を提供することができる。特に、編集領域上への画像オブジェクトの配置位置および画像の回転状態、または、配置位置および画像の配置形態を単純な操作で指定可能となる。
【発明を実施するための最良の形態】
【００１７】
以下に、図面を参照して、この発明の好適な実施の形態を詳しく説明する。ただし、この実施の形態に記載されている構成要素はあくまで例示であり、この発明の範囲をそれらのみに限定する趣旨のものではない。
【００１８】
（第１実施形態）
本発明に係る編集装置の第１実施形態として、パーソナルコンピュータ（ＰＣ）および画像編集プログラムにより実現される編集装置を例に挙げて以下に説明する。
【００１９】
＜装置構成＞
図１は、第１実施形態に係る編集装置の内部構成図である。編集装置１００は、画像のレイアウト処理等の編集を行う装置であり、上述のようにＰＣおよび当該ＰＣ上で動作するプログラムにより構成される。
【００２０】
１０１はＣＰＵであり、外部記憶装置１０８やＲＯＭ１０３に記憶されているプログラムを実行することにより、後述するデジタル画像データの編集処理を行う。
【００２１】
１０２はＲＡＭであり、外部記憶装置１０８やＲＯＭ１０３から読み出したプログラムやデータを一時的に記憶する。また、ＲＡＭ１０２は、ＣＰＵ１０１が各種のプログラムを実行するための領域としても利用される。
【００２２】
１０３はＲＯＭであり、各種の制御プログラムやデータなどを記憶する。
【００２３】
１０４は表示制御部であり、画像や文字等を表示部１０５に表示するための制御処理を行う。１０５は表示部であり、操作者に対し図形や文字などにより各種情報を表示する部分である。なお、表示部１０５としてはＣＲＴや液晶表示画面などが用いられる。
【００２４】
１０６は入力部であり、編集装置１００に対する操作者からの指示を受け付ける。具体的にはキーボード１０６ａやマウス１０６ｂなどが挙げられる。
【００２５】
１０７はインターフェース（Ｉ／Ｆ）であり、一般的なパラレルまたはシリアルのインタフェースである。編集装置１００は、Ｉ／Ｆ１０７を介して、画像データをデジタルカメラ、スキャナ、ＰＣカード、フロッピー（登録商標）ディスク（登録商標）、ＭＯ、あるいは、外部装置１５０のファイルシステムから読み取る。また、編集装置１００で編集した結果の画像データを、インクジェットプリンタ、ＬＢＰ、昇華型プリンタなどの出力装置（不図示）に出力する。なお、以下ではＩ／Ｆ１０７としてネットワークインタフェースであるイーサネット（登録商標）を想定する。
【００２６】
１０８はハードディスクドライブ（ＨＤＤ）など大容量の情報記憶が可能な外部記憶装置であり、オペレーティングシステム（ＯＳ）や後述する処理を行う画像処理プログラムを含む各種プログラムを記憶する。
【００２７】
図２は、第１実施形態に係る編集装置の内部機能ブロック図である。
【００２８】
編集装置１００は、表示部１０５、画像入力部２０１、操作受付部２０２、画像選択部２０３、配置状態選択部２０４、および、画像配置部２０５を有する。なお、ここでは、各部の機能の概略のみ述べ、詳細については動作フローと共に後述する。また、これらの各部は編集装置１００の備える各部、および、ＣＰＵ１０１が編集プログラムを実行することにより実現される。
【００２９】
画像入力部２０１は、Ｉ／Ｆ１０７を経由して外部の装置から、あるいは、外部記憶装置１０８から１以上の画像オブジェクトを入力する機能部である。操作受付部２０２は、操作者による入力部１０６の操作を検出し後述の画像選択部２０３、配置状態選択部２０４を制御する機能部である。画像選択部２０３は、操作受付部２０２により検出した入力部の操作に基づいて、１つの画像オブジェクトを選択する機能部である。また、配置状態選択部２０４は、画像選択部で選択した画像オブジェクトの配置状態を選択するための機能部である。そして、これらの機能部により実現される機能は、表示部１０５に表示される操作画面を通して操作者に通知される。
【００３０】
＜操作画面＞
図３は、第１実施形態に係る編集装置の表示部に表示される編集画面を示す図である。この画面は、ＣＰＵ１０１が上述の編集プログラムを実行することにより表示部１０５に表示される。
【００３１】
表示部１０５には編集プログラムのアプリケーションウインドウ３００およびマウスカーソル３５０が表示されている。アプリケーションウインドウ３００内には、編集作業領域３０１、入力画像表示領域３０６が表示され、さらに、設定ボタン３０５およびステータスバー３０７が表示されている。ここで、編集作業領域３０１はレイアウト編集の対象となる編集ページ３０２のイメージが表示される部分である。そして、入力画像表示領域３０６は画像入力部２０１により入力された１つ以上の画像オブジェクト３０３のサムネイルがリスト表示される領域である。また、設定ボタン３０５は、ドラッグ時の動作などをカスタマイズする設定ダイアログ（図４で詳述）を起動するためのボタンである。さらに、ステータスバー３０７はドラッグ時において、選択されている画像オブジェクトの配置の選択状態を示す（図５、図６で詳述）。
【００３２】
また、編集ページ３０２には当該ページにおいて写真などの画像オブジェクト３０３が配置する領域範囲であるフォトスロット３０４が定義されている。フォトスロット３０４は後述する画像配置処理に先立って、入力部１０６を用いて設定されるか、あるいは、予めフォトスロット３０４が定義されたテンプレートファイルを読み込むことにより設定される。詳細は後述するが、例えば、画像オブジェクト３０３をマウス１０６ｂでドラッグしフォトスロット３０４内にドロップすることにより、当該画像オブジェクトが当該フォトスロット３０４に配置される。
【００３３】
図４は、入力部の操作に対応する動作などをカスタマイズする設定ダイアログ４００を示す図である。ここでは、タブ４１０を選択し、設定項目としてマウス１０６ｂのドラッグ＆ドロップ時の操作に対応する動作を設定する画面を例示的に示す。そして、４１１、４１２はドラッグ＆ドロップ時の動作の詳細項目を示している。
【００３４】
４１１は、マウス１０６ｂのドラッグ＆ドロップ操作に対応する動作設定項目であり、ここでは、回転、あるいは配置形態のどちらかの選択を行うよう構成している。つまり、ドラッグ操作により選択を行い、ドロップ操作により決定を行う。なお、ここで配置形態とは後述する”フィル”、”フィット”の各配置を示している。
【００３５】
４１２は、マウス１０６ｂのドラッグ操作時における、選択画像オブジェクトの表示設定項目であり、サムネイルの、大、通常、なしの３つより１つを選択することができる。
【００３６】
”通常”を選択した時は、例えば、入力画像表示領域３０６に表示されていたサムネイル表示と同じ大きさのサムネイルを表示する。
【００３７】
”大”を選択した時は、”通常”を選択した時より大きくサムネイルを表示する。そのことにより、操作者は画像のイメージをより直感的に分かるようになる。
【００３８】
”なし”を選択した時は、マウスによるドラッグ時にはサムネイル画像は表示されない。つまり、ドラッグ状態にあることを示す最低限の表示のみ行う。例えば、画像に対応する枠部分のみの表示、カーソルや画像をドラッグ中であることを示すアイコンによる表示のみ行う。
【００３９】
４０１、４０２はそれぞれ、ＯＫボタン、キャンセルボタンである。ＯＫボタンは上述した設定を確定する際に用いられ、キャンセルボタンは上述した設定の変更・更新を行わず、設定ダイアログ４００による設定を終了する際に用いられる。
【００４０】
図５は、画像オブジェクトの回転に関する選択候補を示す図である。図５（ａ）では、０度、９０度、１８０度、２７０度の順序で選択が行われ、２７０度の次は０度に戻る。また、以下では説明を簡単にするために回転状態を図５（ａ）に示すような９０度単位とするが、例えば、図５（ｂ）に示すような４５度単位など、より細かい角度で回転を行うようよう構成しても良い。
【００４１】
図６は、画像オブジェクトの配置形態に関する選択候補を示す図である。ここでは、フィル、フィットが交互に選択される例を示している。図７は、フィル、フィットの各配置形態を概念的に示す図である。図７（ａ）は、フォトスロット３０４に画像オブジェクト３０３が”フィル”配置された状態を示す図である。つまり、フォトスロット３０４全体に画像オブジェクト３０３が入るように、フォトスロット３０４が画像オブジェクト３０３に対して内接するように配置され、フォトスロット３０４からはみだす画像は表示されない。一方、図７（ｂ）は、フォトスロット３０４に画像オブジェクト３０３が”フィット”配置された状態を示す図である。つまり、フォトスロット３０４内に画像オブジェクト３０３全体が表示されるように、画像オブジェクト３０３がフォトスロット３０４に対して内接するように配置される。なお、画像オブジェクトのアスペクト比（縦横比）は一般的に保存される。
【００４２】
＜編集装置の動作＞
図８は、第１実施形態に係る編集装置におけるレイアウト編集動作のフローチャートである。ここでは、入力画像表示領域３０６に表示されていた画像オブジェクト３０３を、フォトスロット３０４に配置する際の動作を示している。また、以下では各ステップでの画面表示（図９〜図１３）と対応させて説明する。
【００４３】
ステップＳ８０１では、画像選択部２０３は、フォトスロット３０４に配置する画像オブジェクト３０３を選択する。つまり、操作者によるマウス１０６ｂのボタン押し下げ動作などを操作受付部２０２が検出し、画像選択部２０３に対して画像オブジェクト３０３を選択するよう制御を行う。
【００４４】
ステップＳ８０２では、操作受付部２０２は操作者によるマウス１０６ｂの移動（ドラッグ）操作を受け付ける。なお、移動開始に伴い、画像選択部２０３は、画像オブジェクト３０３のサムネイル９００を表示する（Ｓ８０３）。移動開始直後での画面表示を図９に示す。なお、ここでは、設定ダイアログ４００において、操作設定４１１は”回転”、プレビュー設定４１２は”サムネイル大”が設定されている。そのため、図９では選択された画像オブジェクト３０３のサムネイル９００が大きく表示されている。また、ステータスバー３０７に現在選択されている状態を矩形９１０（ここでは０度）で表示する。
【００４５】
図１０は、図９の状態からマウス１０６ｂをさらに右方向にドラッグした状態を示している。なお図１０においては、まだカーソル３５０の中心がフォトスロット３０４内に入っていない状態での画面表示を示している。図１０では、マウス１０６ｂの移動の結果、サムネイル９００が９０度右回転しており、ステータスバー３０７の表示もこれに同期して９０度を選択している。
【００４６】
ステップＳ８０４では、画像選択部２０３は、操作受付部２０２は操作者によるマウス１０６ｂの移動の方向が右方向か左方向かを判定する。右方向であればステップＳ８０５に進み、左方向であればステップＳ８０６に進む。
【００４７】
ステップＳ８０５では、画像選択部２０３は、画像オブジェクト３０３を右回転するよう決定し、ステータスバー３０７に回転状態を表示する。具体的には、図１０のようにステータスバー３０７ないの変化の方向が右矢印となるよう表示する。
【００４８】
ステップＳ８０６では、画像選択部２０３は、画像オブジェクト３０３を左回転するよう決定し、ステータスバー３０７に回転状態を表示する。具体的には、図１２のようにステータスバー３０７ないの変化の方向が左矢印となるよう表示する。
【００４９】
ステップＳ８０７では、ステップＳ８０５またはステップＳ８０６で決定した回転方向に従って、サムネイル９００の表示を更新する。
【００５０】
ステップＳ８０８では、操作受付部２０２は操作者によるマウス１０６ｂのボタン押し下げ動作が終了されたか否かを判定する。ボタン押し下げ動作が終了された場合はステップＳ８０９に進み、終了していない場合はステップＳ８０４に戻る。つまり、マウス１０６ｂのドラッグ操作中はステップＳ８０４〜ステップＳ８０８が繰り返し実行される。
【００５１】
ステップＳ８０９では、ボタン押し下げ動作が終了された時点、つまり、ドラッグ終了時点でのカーソル３５０の位置がフォトスロット３０４の範囲内に位置しているか否かを判定する。フォトスロット３０４の範囲内である場合はステップＳ８１０に進み、範囲外である場合はステップＳ８０１に戻る。つまり、フォトスロット３０４の範囲外でドラッグが終了した場合は、画像オブジェクト３０３の配置処理をキャンセルしたものと処理する。この状態での画面表示を図１１に示す。
【００５２】
ステップＳ８１０では、画像選択部２０３は、サムネイル９００が非表示となるよう制御する。
【００５３】
ステップＳ８１１では、画像配置部２０５は、配置状態選択部２０４の配置選択状態、つまり、矩形９１０の選択する回転状態に基づいて、フォトスロット３０４内に画像オブジェクト３０３を配置する。この状態での画面表示を図１３に示す。
【００５４】
つまり、マウス１０６ｂによる画像オブジェクト３０３のドラッグ＆ドロップ操作により、
・画像オブジェクトの配置位置の決定
・画像オブジェクトの回転状態の決定
の２つの動作を合わせて行うことが可能となる。また、予め指定されたフォトスロット３０４に対して配置されるため、位置の微調整の必要もなくなるというメリットがある。
【００５５】
また、上述のフローにおいては、設定ダイアログ４００において、操作設定４１１が”回転”の場合について説明を行ったが、”フィル／フィット”を選択した場合も、同様に、
・画像オブジェクトの配置位置の決定
・画像オブジェクトの配置（フィット／フィル）状態の決定
の２つの動作を合わせて行うことが可能となる。
【００５６】
以上説明したように、第１実施形態に係る編集装置１００により、画像オブジェクトの多様な配置制御をより単純な操作で指定可能とすることが出来る。さらに、マウスを右方向に動かした場合に右回転、マウスを左方向に動かした場合に左回転するよう構成することにより、より直感的な操作が可能となる。
【００５７】
（変形例）
第１実施形態の編集装置１００においては、マウス１０６ｂの移動（ドラッグ）操作中は必ず選択状態が変化するよう説明を行った。すなわち、操作設定４１１が”回転”の場合は、常に回転角度が変化し、”フィル／フィット”の場合は配置状態が変化した。しかし、操作者は場合によっては選択状態を固定させたい場合がある。その場合、キーボードａの特定のキーを押下中は当該選択状態を固定させるように構成すると良い。例えば、キーボード１０６ａの”Ａｌｔキー”を押下中は回転の状態を抑止するよう構成しても良い。
【００５８】
また、第１実施形態の編集装置１００においては、マウス１０６ｂの移動（ドラッグ）操作中は必ず選択状態が変化させたが、フォトスロット内でのみ回転するよう構成しても良い。
【００５９】
さらに、選択状態の変化の頻度を指定可能な設定項目を設けても良い。例えば、カーソル３５０の表示部１０５上での移動ピクセルに対応させて選択状態を変化させるよう構成しても良い。
【００６０】
また、上述の”回転状態”、”配置形態”に限定されず、画像補正処理等の他の制御をしても良い。例えば、モノクロ、セピア、通常などから選択される色調を選択リストとしたり、２：３、３：４などから選択されるフォトスロットのアスペクト比を選択リストにしたりしてもよい。
【００６１】
また、ドラッグ中の画像オブジェクトのサムネイル表示は５０％の透明度の画像を背景と合成して、表示することにより、ドロップ先がわかりやすく見えるようにしても良い。
【００６２】
さらに、第１実施形態では設定ダイアログ４００でマウスの動作に対する処理を選択したが、キーボードの操作により選択を行うよう構成しても良い。例えば、キーボードのｓｈｉｆｔキーを選択すると回転処理、キーボードのｃｏｎｔｒｏｌキーを選択すると配置形態の処理というように構成しても良い。
【００６３】
（他の実施形態）
以上、本発明の実施形態について詳述したが、本発明は、複数の機器から構成されるシステムに適用しても良いし、また、一つの機器からなる装置に適用しても良い。
【００６４】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００６５】
その場合、プログラムの機能を有していれば、オブジェクトコード、インタプリタにより実行されるプログラム、ＯＳに供給するスクリプトデータ等、プログラムの形態を問わない。
【００６６】
供給のため、プログラムを記録媒体に記憶してもよい。例えば、フロッピー（登録商標）ディスク、ハードディスク、光ディスク、光磁気ディスク、ＭＯ、ＣＤ−ＲＯＭ、磁気テープ、不揮発性のメモリカード、ＲＯＭ、ＤＶＤ−ＲＯＭなどがある。
【図面の簡単な説明】
【００６７】
【図１】第１実施形態に係る編集装置の内部構成図である。
【図２】第１実施形態に係る編集装置の内部機能ブロック図である。
【図３】第１実施形態に係る編集装置の表示部に表示される編集画面を示す図である。
【図４】入力部の操作に対応する動作などをカスタマイズする設定ダイアログを示す図である。
【図５】画像オブジェクトの回転に関する選択候補を示す図である。
【図６】画像オブジェクトの配置形態に関する選択候補を示す図である。
【図７】フィル、フィットの各配置形態を概念的に示す図である。
【図８】第１実施形態に係る編集装置におけるレイアウト編集動作のフローチャートである。
【図９】配置操作中の画面表示の例を示す図である。
【図１０】配置操作中の画面表示の例を示す図である（Ｓ８０１）。
【図１１】配置操作中の画面表示の例を示す図である（Ｓ８０３）。
【図１２】配置操作中の画面表示の例を示す図である（Ｓ８０６）。
【図１３】配置操作中の画面表示の例を示す図である（Ｓ８１１）。
【図１】
2008078937.tif 000003
【図２】
2008078937.tif 000004
【図３】
2008078937.tif 000005
【図４】
2008078937.tif 000006
【図５】
2008078937.tif 000007
【図６】
2008078937.tif 000008
【図７】
2008078937.tif 000009
【図８】
2008078937.tif 000010
【図９】
2008078937.tif 000011
【図１０】
2008078937.tif 000012
【図１１】
2008078937.tif 000013
【図１２】
2008078937.tif 000014
【図１３】
2008078937.tif 000015